(57)【特許請求の範囲】
【請求項１】
実質的に半球状の球面凹部を有する半球部材を等分割することにより得られる１対の球面部材を、上記分割面が対接するように組み合わせることにより球面凹部を形成し、上記いずれかの球面部材が所定の範囲で進退することにより上記球面凹部に段差を生じさせることを可能に設けてあるコイン受け皿と、上記球面部材同士の対接部に投入用コインを通過可能に形成してある投入溝部と、上記各球面部材を上記コインの投入方向と反対の方向に付勢する付勢手段とを備え、
上記各球面部材は、上記凹部に上記コインを押し付けると上記対接部に段差を生じ、当該段差に沿って当該コインを上記投入溝部へ案内可能としてある
ことを特徴とするバリアフリー型自動販売機のコイン投入口。
【請求項２】
請求項１において、上記コインは上記段差を生じた上記投入溝部で投入方向を修正されることにより投入容易としてあることを特徴とするバリアフリー型自動販売機のコイン投入口。
【発明の詳細な説明】
【０００１】
【発明の属する技術分野】
本発明は、バリアフリー型自動販売機のコイン投入口に関するものである。
【０００２】
【従来の技術】
周知の通り、缶ジュース類をはじめとする物販やその他の商品が自動販売機を通して販売されているが、これらの自動販売機における代金の支払いは投入口から硬貨や紙幣を投入することによって行われている。この内、硬貨（コイン）の投入口に絞って言及すると、主として自動販売機の前面かつ大人の立ち姿勢で投入しやすい位置に垂直に設置してある。投入口の表面は硬貨の大きさよりもやや大き目の球面状の凹部を有する円形部材の中央部にコインが通過可能な投入溝を設けたものが採用されている。自動販売機の利用者はこの投入溝にコインを合わせて溝に対して垂直方向に押し込むことにより投入している。
【０００３】
【発明が解決しようとする課題】
上記の要領でコインを投入する際に、健康な成人であっても時にはコインを入れ損なうことがあるが、手や目など身体に障害を持っている人たちが利用する場合には、うまくコインを投入できずに入れ損なってしまうことが多い。とくに老人ホームなどのような施設においては、車椅子に乗ったまま自動販売機を利用することが多くあり、目や手が不自由である上に投入口の設置位置が車椅子使用者の利用に不便になっているようなことが多いため、コインの投入に失敗して不快な思いをさせられることが多くなっている。
【０００４】
近時は高齢者社会への移行期を迎え、身体の不自由な高齢者の増加予想の下にバリアフリーの概念が浸透しつつあるが、このような時期を迎えるに当たってはバリアフリー型の自動販売機の果たす役割は大きくなっている。
【０００５】
そこで本発明の目的は、だれにでも容易にコインの投入を可能とするバリアフリー型自動販売機のコイン投入口を提供することにある。
【０００６】
【課題を解決するための手段】
上記の目的を達成するために本発明におけるバリアフリー型自動販売機のコイン投入口は、コインの縁部を投入口の表面に押し付けながら移動させることによりだれにでも容易に投入可能としたところに特徴がある。
【０００７】
本発明におけるバリアフリー型自動販売機のコイン投入口の構成は、実質的に半球状の球面凹部を有する半球部材を等分割することにより得られる１対の球面部材を、分割面が対接するように組み合わせることにより球面凹部を形成し、いずれかの球面部材が所定の範囲で進退することにより球面凹部に段差を生じさせることを可能に設けてある。
【０００８】
上記したように、コインの縁部をコイン受け皿の凹部に押し付けると対接部に段差を生じるが、この段差は投入溝部にも当然に生じるので、コインがこの投入溝部に到達すると、コインは段差を生じた投入溝部で投入方向を投入可能な姿勢に修正されることにより投入容易としてある。
【０００９】
【発明の実施の形態】
次に発明の実施の形態の一例について図面を参照して説明する。
初めに図２に示すような缶ジュ−スを販売する立形の自動販売機の前面に本発明に係るコイン投入口を設ける場合について説明する。
【００１０】
自動販売機１の前面には、上部に商品のディスプレイ部１ａが設けてあり、高さの中程位置にコイン投入口２及び釣り銭取り出し口２ａが設けてある。そして下部に商品の受取り口１ｂが設けてある。コイン投入口２及び釣り銭取り出し口２ａは、車椅子に乗ったままの姿勢でも利用可能な位置に設けてある。この他販売商品の種類によっては紙幣の投入口を備えたり、ディスプレイ部や商品口受取り口の位置等に種々のものがある。
【００１１】
図３に示すように、コイン投入口２は、前面カバー３に設けてある窓部３ａの内側に取り付けてある。コイン投入口２はケース本体４とコイン受け皿５及び付勢手段６とを備えたものによって構成されている。ケース本体４を前面カバー３の裏側に固着するとともに、補助部材３ｂを介して上部を支持する等により固定してある。
【００１２】
コイン投入口２を構成するケース本体４は、外形が直方体の前部の半分の位置から、上部の大部分の範囲を切除したものからなり、内部に角筒状のスロート部４ａが高さのほぼ３分の１の位置まで立設してある。
【００１３】
コイン受け皿５は、実質的に半球状の球面凹部を有する半球部材を等分割することにより得られる１対の球面部材７，８を、分割面が対接するように組み合わせることにより球面凹部としてある。コイン受け皿５の対接部５ａは正面に対して垂直状態になっており、通常（不使用時）は、凹部側に段差のない同一面となっている。コイン受け皿５は、半球の開口面が斜めになるように置かれた状態で、対接部５ａの真下になる部分にコインが通過可能な投入溝部５ｂが設けてある。投入溝部５ｂは、球面凹部が押圧されていない状態においては、入り口部は同じ高さ（同一面）になっているが、この部分はコインを案内容易とするとともに利用者に優しくするための丸みが設けてある。
【００１４】
各球面部材７，８の外面下部には、投入溝部５ｂの出口部を囲むようにガイド部７ａ，８ａが形成してある。ガイド部７ａ，８ａはケース本体４の底部に立設されたスロート部４ａの外周部に係合して所定範囲で昇降可能に取り付けられている。
【００１５】
各球面部材７，８は、付勢手段としてスロート部４ａの外周部に巻き回されている圧縮コイルばね６によって上方へ付勢されており、通常は上端がケース本体４の上部に弾接して支持された状態となっている。また、各球面部材７，８の球面凹部の内面を下方に押圧すると、それぞれ独立して所定量だけ下降し、押圧状態を解除すると、上記したばね６の付勢力により原位置へ復帰可能である。
【００１６】
次に動作について説明する。
図１に示すように、例えば右側の球面部材７の球面凹部に１００円硬貨等のコインＣの縁部を押し付けると、押し付けられた方の球面部材７はばね６の付勢力に抗して下降する。この下降量の規制はスロート部４ａにストッパ等を設けることにより行われる。コインＣをさらに球面凹部に沿って投入溝部５ｂに近付くように移動させると、ついには一方の球面部材の下降によって対接面に生じた段差５ｃに達する。
【００１７】
ここでさらにコインＣを前後に移動させるとコインが投入溝部５ｂに到達する。このとき、コインが球面凹部の接触面に対してほぼ直角状態になっていれば、投入溝部５ｂは溝幅がコインの厚さよりもやや大きくしてある上に入り口部に丸みが設けてあるため、容易に投入可能である。また、コインが直角状態になっていない場合には、コインの下部が投入溝部５ｂに入っている状態になった時に姿勢を修正し、垂直に立て直して押し込めばそのまま投入可能となる。コインの姿勢の立て直しは一方の球面部材が下降して生じた段差５ｃを足掛りとすることができるため極めて容易である。コインＣが投入溝部５ｂに半分以上の部分が没入した時点でコインから手を離せば、コインは重力作用により落下し、スロート部４ａに設けられた通路４ｂを経てコイン判別機（図示略）へ転送される。なお，コインＣを左側の球面部材８に押し付けて投入する場合もこれに準じた動作が行われる。
【００１８】
次に他の形態例として、図６に示すような食品のバリアフリー型自動販売機に本発明を適用した例について説明する。
このバリアフリー型自動販売機１１は、横形の収納ボックス１１ａの後端部に衝立状に商品選択ボード１１ｂが設けてあり、収納ボックス１１ａの上面手前側に各商品毎にコイン投入口１２が設けてある。収納ボックス１１ａの前面側には商品受け取り口１３及び釣銭収納口１４が設けてある。
【００１９】
図６にコイン投入口１２の構成を示す。コイン投入口１２を構成するコイン受け皿５５は、１対の球面部材５７，５８の分割面が対接部５５ａとなっており、ケース本体５４の内周部にガイドされた状態で昇降可能としてある。コイン受け皿５５は、ケース本体５４の内部に収納されている付勢手段である圧縮コイルばね５６により上向きに付勢されている。コイン受け皿５５の上端部は，ケース本体５４の上端部から内方に受けて形成された突起状のストッパ５４ｃによってケース本体から突出不能としてある。
【００２０】
コイン受け皿５５の対接部５５ａの中央部には投入溝部５５ｂが設けてある。投入溝部５５ｂの出口側にはスロート部５５ｄが設けてある。スロート部５５ｄには投入溝部５５ｂと連通するコイン通路が設けてある。ケース本体５４にはコインの通路５９ａを有する通路部材５９を接続可能である。
【００２１】
この自動販売機は、コイン投入口が自動販売機のケース６０の水平になっている面に設置してあるので、コインを入れ損なう心配がなく、さらに車椅子に座ったままでの利用が可能である。さらにコインを球面凹部に押し付けると必然的に投入溝部５５ｂに誘導されることによる投入可能な構成にしてあるので、身体の不自由な人達の利用に便利になる。なお、本例における動作は、前記の形態例に準じる。
【００２２】
バリアフリー型自動販売機として好適なものであり、本発明に係るコイン投入口の採用によりその真価を発揮可能となっている。
【００２３】
【発明の効果】
本発明によれば、自動販売機へのコインの投入が容易化する。特に目や手の不自由な人であってもコインの投入が容易であるため食品等の自動販売に採用すると、便利になる。したがって病院や養護施設あるいは養老院のような身体の不自由な人達の利用する場所に設置するバリアフリー型自動販売機に採用するとその真価を発揮可能である。
【図面の簡単な説明】
【図１】コイン投入時におけるコインとコイン受け皿の状態を示す説明図である。
【図２】本発明を自動販売機に設置した例を示す正面図である。
【図３】本発明の一形態例に係るコイン投入口を自動販売機に取り付けた状態を例示する断面図である。
【図４】一形態例の構成を示す一部切欠断面の正面図である。
【図５】他の形態例の構成を示す断面図である。
【図６】他の形態例を自動販売機に取り付けた状態を示す斜視図である。
【符号の説明】
２，１２              コイン投入口
５，５５              コイン受け皿
５ａ，５５ａ          対接部
５ｂ，５５ｂ          投入溝部
５ｃ                  段差
６，５６              付勢手段
７，８，５７，５８    球面部材
【図１】
0004082632.tif 000002
【図２】
0004082632.tif 000003
【図３】
0004082632.tif 000004
【図４】
0004082632.tif 000005
【図５】
0004082632.tif 000006
【図６】
0004082632.tif 000007